(57)【特許請求の範囲】
【請求項１】
手洗い吐水部を有する洗浄タンクと、
洗浄水を前記洗浄タンクに給水する主流路部と、前記主流路部から分岐し、洗浄水を補給水として吐出する補給水分岐流路部と、前記主流路部から分岐し、洗浄水を前記手洗い吐水部へ供給する手洗い側流路部と、
前記主流路部から前記補給水分岐流路部と前記手洗い側流路部とを分岐させる流路分岐部材と、を備え、
前記流路分岐部材は、前記主流路部を有する基部側分岐部と、前記主流路部に連通する第１開口部を有し、且つ、前記基部側分岐部に着脱可能に接続される第１下流側分岐部と、前記主流路部に連通する第２開口部を有し、且つ、前記第１下流側分岐部に着脱可能に接続される第２下流側分岐部と、を備え、
前記第２下流側分岐部は、前記第１下流側分岐部を介さずに前記基部側分岐部に着脱可能に接続可能である便器洗浄装置。
【請求項２】
前記第１開口部と前記第２開口部とは、開口部連通流路を介して連通し、
前記開口部連通流路は、前記開口部連通流路を流れる洗浄水の流量を調整するための流量調整部を有する請求項１に記載の便器洗浄装置。
【請求項３】
前記流量調整部は、前記開口部連通流路に対して着脱可能である請求項２に記載の便器洗浄装置。
【請求項４】
前記基部側分岐部と、前記第１下流側分岐部と、前記第２下流側分岐部とは、上下方向に沿って並んで配置されている請求項１〜請求項３のいずれかに記載の便器洗浄装置。
【請求項５】
前記第１開口部は、前記補給水分岐流路部を構成可能であり、前記第２開口部は、前記手洗い側流路部を構成可能であり、
前記第１開口部は、洗浄水の流れにおいて、前記第２開口部の上流側に位置している請求項１〜請求項４のいずれかに記載の便器洗浄装置。
【請求項６】
前記第１下流側分岐部及び前記第２下流側分岐部は、前記洗浄タンクを覆うタンク蓋部の上方に配置されている請求項１〜請求項５のいずれかに記載の便器洗浄装置。
【発明の詳細な説明】
【技術分野】
【０００１】
本発明は、便器洗浄装置に関する。
【背景技術】
【０００２】
従来、手洗い吐水部を有する洗浄タンクと、洗浄水を洗浄タンクに給水する主流路部と、主流路部から分岐し、洗浄水を補給水として洗浄タンクの外部において吐出する補給水分岐流路部と、主流路部から分岐し、洗浄水を手洗い吐水部へ供給する手洗い側流路部と、を有する便器洗浄装置が知られている（例えば、特許文献１参照）。
【０００３】
一方、便器洗浄装置としては、手洗い吐水部を有していない洗浄タンクを備えるものが存在する。手洗い吐水部を有している洗浄タンクの場合には、洗浄タンクの上部に配置された手洗い吐水部へ洗浄水を供給しなければならないため、洗浄水の通水負荷が高く、このため、洗浄水の流路における通水面積を大きくして、流量を多くする必要がある。そこで、特許文献１に記載の便器洗浄装置においては、手洗い吐水部を有している洗浄タンクの場合と、手洗い吐水部を有していない洗浄タンクの場合と、のそれぞれの場合に対応することができるように、便器洗浄装置における洗浄水の流路の通水面積を切替えることができるように構成されている。
【先行技術文献】
【特許文献】
【０００４】
【特許文献１】国際公開第２０１２／０４３４０５号公報
【発明の概要】
【発明が解決しようとする課題】
【０００５】
しかし、特許文献１に記載の便器洗浄装置では、洗浄水の流路の通水面積を切替えるための通水穴は、洗浄水の流路を形成している部材と一体で構成されており、また、流路の通水面積の切替えも、手洗い吐水部を有している洗浄タンクの場合と、手洗い吐水部を有していない洗浄タンクの場合と、の２つの場合にそれぞれ対応した２つの通水面積の切替えを行なうのみであり、他の様々な商品へ対応可能に汎用性を持たせることは困難であった。
【０００６】
本発明は、他の様々な商品へ対応可能に高い汎用性を有する便器洗浄装置を提供することを目的とする。
【課題を解決するための手段】
【０００７】
上記目的を達成するため本発明は、手洗い吐水部（例えば、後述の手洗い吐水部１８ｂ）を有する洗浄タンク（例えば、後述の洗浄タンク４）と、洗浄水を前記洗浄タンクに給水する主流路部（例えば、後述の主流路部５１１）と、前記主流路部から分岐し、洗浄水を補給水として吐出する補給水分岐流路部（例えば、後述の補給水分岐流路部５１２）と、前記主流路部から分岐し、洗浄水を前記手洗い吐水部へ供給する手洗い側流路部（例えば、後述の手洗い側流路部５１３）と、前記主流路部から前記補給水分岐流路部と前記手洗い側流路部とを分岐させる流路分岐部材（例えば、後述の流路分岐部材５５）と、を備え、前記流路分岐部材は、前記主流路部を有する基部側分岐部（例えば、後述の基部側分岐部５６）と、前記主流路部に連通する第１開口部（例えば、後述の第１開口部５７３ａ）を有し、且つ、前記基部側分岐部に着脱可能に接続される第１下流側分岐部（例えば、後述の第１下流側分岐部５７）と、前記主流路部に連通する第２開口部（例えば、後述の第２開口部５８２ａ）を有し、且つ、前記第１下流側分岐部に着脱可能に接続される第２下流側分岐部（例えば、後述の第２下流側分岐部５８）と、を備え、前記第２下流側分岐部は、前記第１下流側分岐部を介さずに前記基部側分岐部に着脱可能に接続可能である便器洗浄装置を提供する。
【０００８】
また、前記第１開口部と前記第２開口部とは、開口部連通流路（例えば、後述の開口部連通流路５７４）を介して連通し、前記開口部連通流路は、前記開口部連通流路を流れる洗浄水の流量を調整するための流量調整部を有することが好ましい。
【０００９】
また、前記流量調整部は、前記開口部連通流路に対して着脱可能であることが好ましい。また、前記基部側分岐部と、前記第１下流側分岐部と、前記第２下流側分岐部とは、上下方向に沿って並んで配置されていることが好ましい。
【００１０】
また、前記第１開口部は、前記補給水分岐流路部を構成可能であり、前記第２開口部は、前記手洗い側流路部を構成可能であり、前記第１開口部は、洗浄水の流れにおいて、前記第２開口部の上流側に位置していることが好ましい。
【００１１】
また、前記第１下流側分岐部及び前記第２下流側分岐部は、前記洗浄タンクを覆うタンク蓋部（例えば、後述のタンク蓋部４２）の上方に配置されていることが好ましい。
【発明の効果】
【００１２】
本発明は、他の様々な商品へ対応可能に高い汎用性を有する便器洗浄装置を提供することを目的とする。
【図面の簡単な説明】
【００１３】
【図１】本発明の一実施形態に係る便器洗浄装置１を示す斜視図である。
【図２】本実施形態に係る便器洗浄装置１において、タンクカバー２０を取り外した状態を示す斜視図である。
【図３】下部カバー部２２から上部カバー部２１を外した状態で、上方側から視た図である。
【図４】本実施形態に係る便器洗浄装置１の流路分岐部材５５を示す断面図である。
【図５】本実施形態に係る便器洗浄装置１の流路分岐部材５５を示す分解斜視図である。
【図６】本実施形態に係る便器洗浄装置１の流路分岐部材５５を示す拡大斜視図である。
【図７】本実施形態に係る便器洗浄装置１の流路分岐部材５５から第１下流側分岐部５７が取り除かれて使用されている様子を示す拡大斜視図である。
【発明を実施するための形態】
【００１４】
以下、本発明の便器洗浄装置１の一実施形態について、図面を参照しながら説明する。以下の説明においては、便器洗浄装置１の便座（図示せず）に座った人から視た場合の前後の向きを前後方向とする。また、便器洗浄装置１の便座（図示せず）に座った人から視た場合の左右の向きを左右方向とする。また、鉛直方向に沿った上下の向きを上下方向とする。
【００１５】
本実施形態の便器洗浄装置１は便器装置を構成しており、便器装置は、図１及び図２に示すように、便器洗浄装置１と、便器２と、ベースプレート３と、洗浄タンク４と、給水部５と、補給水吐水機構６と、洗浄駆動ユニット７と、タンクカバー２０と、手洗い部１８と、を備える。
【００１６】
便器２は、便器本体２ａと、この便器本体２ａの上部に便器本体２ａに対して回動可能に取り付けられる便座（図示せず）及び便蓋２ｂと、を含んで構成される。
【００１７】
ベースプレート３は、便器本体２ａの後方の上面に取り付けられる。ベースプレート３の上方には、洗浄タンク４が配置される。ベースプレート３には、補給水吐水機構６が取り付けられている。
【００１８】
補給水吐水機構６は、給水流路部５１（後述）の補給水分岐流路部５１２に接続され、補給水分岐流路部５１２を流通する水を補給水として、ベースプレート３に吐出する。補給水吐水機構６は、補給水吐水部６１と、水量調整操作ダイヤル６２と、を有する。
【００１９】
補給水吐水部６１は、ベースプレート３の中央側に補給水を吐出する。水量調整操作ダイヤル６２は、給水流路部５１（後述）の補給水分岐流路部５１２を流通する水の流れを調整可能である。水量調整操作ダイヤル６２は、ベースプレート３の下方に突出するように配置される。
【００２０】
ベースプレート３には、ガイド壁３１が形成される。ガイド壁３１は、ベースプレート３の上面から上方に立ち上がるように形成される。ガイド壁３１は、補給水吐水部６１から吐出される補給水の流れをガイドする。ガイド壁３１の詳細については後述する。
【００２１】
タンクカバー２０は、図１に示すように、洗浄タンク４を覆うように、洗浄タンク４に被せられる。タンクカバー２０は、上部カバー部２１と、下部カバー部２２と、を有する。上部カバー部２１及び下部カバー部２２は、例えば、樹脂材料により形成される。
【００２２】
上部カバー部２１は、タンクカバー２０の上部を構成し、便器洗浄装置１の上部を塞ぐように形成される。上部カバー部２１は、手洗い部１８の手洗いボウル部１８ａを含んで構成される。上部カバー部２１は、下部カバー部２２に対して着脱可能に構成される。
下部カバー部２２は、タンクカバー２０の下部を構成する。下部カバー部２２は、筒状に形成され、洗浄タンク４の周囲を囲むように形成される。下部カバー部２２は、図１に示すように、上部側が狭くなるように形成され、図３に示すように、上部に上部開口２２ａが形成される。
【００２３】
手洗い部１８は、図１に示すように、洗浄タンク４の上方に配置される。手洗い部１８は、手洗いボウル部１８ａと、手洗い吐水部１８ｂと、を備える。
【００２４】
手洗いボウル部１８ａは、タンクカバー２０における上部カバー部２１（後述）の一部により構成される。手洗いボウル部１８ａは、手洗い吐水部１８ｂから吐出される手洗い水を受ける。この手洗いボウル部１８ａの底部には、排水口（図示せず）が形成されている。
【００２５】
手洗い吐水部１８ｂは、手洗いボウル部１８ａの背部側の前面から前方に突出するように配置される。この手洗い吐水部１８ｂの先端部は、下方に開口している。
【００２６】
以上の手洗い部１８には、洗浄タンク４に供給される洗浄水の一部が、手洗い側流路部５１３（後述）を介して手洗い吐水部１８ｂに供給される。これにより、給水部５の動作により洗浄タンク４に洗浄水が貯留される場合に、この貯留される洗浄水の一部が手洗い吐水部１８ｂから吐出される。
また、手洗い部１８から排出される排水は、手洗い側排水管（図示せず）を介して洗浄タンク４に排出される。
【００２７】
洗浄タンク４は、ベースプレート３の上方において、便器２の後方かつ上方に配置され、便器本体２ａを洗浄する洗浄水を貯留する。洗浄タンク４は、便器洗浄装置１に内装される。洗浄タンク４は、図２等に示すように、タンク本体４１と、タンク蓋部４２と、を備える。
【００２８】
タンク本体４１は、洗浄水を貯留する。タンク本体４１は、図２等に示すように、便器洗浄装置１の左右方向に長く形成される。タンク本体４１は、上面が開口して形成され、底部（図示せず）と、底部（図示せず）の周縁から立ち上がり周囲を囲むように形成される周壁４１２と、を備える。周壁４１２は、洗浄タンク４のタンク本体４１の外壁を構成する。
【００２９】
タンク本体４１の底部（図示せず）には、フロート弁（図示せず）により開閉される排水口（図示せず）が形成されている。フロート弁を引き上げて排水口を開放することにより、タンク本体４１の内部に貯留された洗浄水が排水口から流出して便器本体２ａに供給され、便器本体２ａが洗浄される。フロート弁には、玉鎖（図示せず）を介して洗浄駆動ユニット７に接続されており、例えば、操作ボタンの操作により、洗浄駆動ユニット７が駆動されて、フロート弁は、開閉される。
【００３０】
洗浄駆動ユニット７は、便器２の洗浄時に駆動する。洗浄駆動ユニット７は、モータ回転軸部材７ｂを有するモータ７ａ（電子部品）を備える。モータ７ａは、モータ収容部４１４（電子部品収容部）に収容される。
【００３１】
タンク本体４１は、図２等に示すように、タンク本体４１の後端部から前方側に窪むタンク凹部４１３を有する。タンク凹部４１３は、タンク本体４１の後部において、タンク本体４１の外側から内側に窪んで形成され、洗浄タンク４の上下方向の全域に亘って連通しており、下方に開口４１０が設けられている。つまり、タンク凹部４１３は、洗浄タンク４の外壁の外側において、洗浄タンク４を上下方向に貫通して形成される。
【００３２】
タンク凹部４１３は、洗浄タンク４における便器洗浄装置１の左右方向の中央から一方側（図２における左側）にずれた位置に形成される。タンク凹部４１３は、第１壁部４１３ａと、第２壁部４１３ｂと、第３壁部４１３ｃと、により構成される。第１壁部４１３ａと、第２壁部４１３ｂと、第３壁部４１３ｃは、周壁４１２の一部を構成する。
【００３３】
第１壁部４１３ａは、タンク凹部４１３における洗浄タンク４の左右方向の他方側（図２における右側）に形成され、洗浄タンク４の前後方向及び上下方向に沿う方向に延びる。第１壁部４１３ａは、洗浄タンク４の左右方向の一方側（図２における左側）を向く面である。
【００３４】
第２壁部４１３ｂは、タンク凹部４１３における洗浄タンク４の左右方向の一方側（図２における左側）に形成され、洗浄タンク４の前後方向及び上下方向に沿う方向に延びる。第２壁部４１３ｂは、第１壁部４１３ａよりも洗浄タンク４の左右方向の一方側（図２における左側）において、第１壁部４１３ａに略平行に、第１壁部４１３ａに対向して配置される。第２壁部４１３ｂは、洗浄タンク４の左右方向の他方側（図２における右側）を向く面である。
【００３５】
第３壁部４１３ｃは、タンク凹部４１３における洗浄タンク４の前方側に形成され、第１壁部４１３ａ及び第２壁部４１３ｂの前方側の端辺を左右方向につないで形成される。第３壁部４１３ｃは、洗浄タンク４の前後方向の後方側（図２における手前側）を向く面であり、洗浄タンク４の左右方向及び上下方向に沿う方向に延びる。
【００３６】
第１壁部４１３ａ及び第２壁部４１３ｂは、対向して配置され、洗浄タンク４の外壁における対向する一対の対向壁部を構成する。第１壁部４１３ａ及び第２壁部４１３ｂは、上方から下方に向かうに従って徐々に離れるように僅かに傾斜して形成される。
【００３７】
モータ収容部４１４（洗浄タンク４のタンク凹部４１３）の下方に形成された開口４１０の下方には、図２に示すように、ベースプレート３が配置されている。ベースプレート３には、前述の通り、ガイド壁３１が形成されている。
【００３８】
ガイド壁３１は、図２に示すように、ベースプレート３の左右方向の中央から一方側（図２における左側）にずれた位置において、洗浄タンク４のタンク凹部４１３の下方側に配置される。ガイド壁３１は、ベースプレート３の上面から上方に立ち上がるように形成される。ガイド壁３１は、補給水吐水機構６の補給水吐水部６１から吐出される補給水をガイドするように、補給水吐水部６１側の面が凹となるように湾曲して、ベースプレート３の後方側から前方側に向かって、補給水吐水部６１の吐出口の側方の近傍から補給水吐水部６１から離れる側に、円弧状に延びる。
【００３９】
補給水吐水部６１は、モータ収容部４１４を構成する第１壁部４１３ａ（外壁）側に向けて補給水を吐水する。本実施形態においては、補給水吐水部６１から吐出される補給水は、モータ収容部４１４を構成する第１壁部４１３ａ（外壁）側に配置されるガイド壁３１に向けて吐出されて、ガイド壁３１に沿ってガイドされる。
【００４０】
給水部５は、図２に示すように、洗浄タンク４に備えられる。給水部５は、給水流路部５１を備える。給水部５には、外部の給水源（図示せず）に接続される給水管５０１が接続されている。
【００４１】
給水流路部５１は、主流路部５１１と、補給水分岐流路部５１２と、手洗い側流路部５１３と、を有する。
主流路部５１１は、洗浄タンク４の内部を通る。主流路部５１１は、給水部５から給水された洗浄水を、洗浄タンク４に供給する。主流路部５１１の下流側端部には、洗浄水吐水部を構成する散水板５６５が設けられている。散水板５６５は、洗浄タンク４の内部に洗浄水を吐出する。
【００４２】
補給水分岐流路部５１２は、主流路部５１１から分岐して、洗浄タンク４の外部を通る。補給水分岐流路部５１２は、給水部５から給水された洗浄水を、便器本体２ａに補給する補給水として、洗浄タンク４の外部において、ベースプレート３に吐出する。補給水分岐流路部５１２には、下流側の端部において、前述の通り、補給水をベースプレート３に吐出する補給水吐水部６１（吐水部）が設けられている。
【００４３】
手洗い側流路部５１３は、主流路部５１１から分岐して、より具体的には、主流路部５１１から分岐した補給水分岐流路部５１２から分岐して、手洗い部１８に向けて延びる。手洗い側流路部５１３は、下流側の端部において、手洗い吐水部１８ｂに接続される。
【００４４】
補給水分岐流路部５１２、手洗い側流路部５１３は、流路分岐部材５５によって主流路部から分岐されている。流路分岐部材５５は、基部側分岐部５６と、第１下流側分岐部５７と、第２下流側分岐部５８と、を備えており、これらはこの順で、鉛直方向に沿って鉛直方向上方へ向って並んで配置されている。
【００４５】
基部側分岐部５６は、筒状分岐部５６１と、タンク側開口部５６２と、分岐側開口筒部５６３とを有する。
筒状分岐部５６１は、略水平に延びる円筒形状を有しており、その軸方向における一端において開口部を有しており、軸方向における他端部は閉塞されている。筒状分岐部５６１の一端部の開口部は、洗浄水を流通する管部材を接続する接続部５６１ａを有している。
【００４６】
図４に示すように、筒状分岐部５６１の他端部の内部には、筒状分岐部５６１の内部空間を上下方向に区画する分岐板５６１ｂが設けられている。筒状分岐部５６１の内周面は、後述のように分岐側開口筒部５６３の内部空間に接続され連通している筒状分岐部５６１の内部空間の位置よりも、筒状分岐部５６１の一端部寄りの位置において、一部の内径が変わっている。具体的には、筒状分岐部５６１の一端部寄りの位置から、筒状分岐部５６１の他端部に至るまでの部分においては、水平方向における筒状分岐部５６１の内部の空間の幅は、筒状分岐部５６１の一端部と同一であるが、上下方向において筒状分岐部５６１の内部の空間は狭く構成されている。分岐板５６１ｂは、筒状分岐部５６１の他端部を閉塞する壁部から、筒状分岐部５６１の一端部へ向って、このように筒状分岐部５６１の内部の空間が狭く構成されている部分の全体に亘って、延びている。
【００４７】
タンク側開口部５６２は、中空の略円盤形状を有している。タンク側開口部５６２は、上端面において、筒状分岐部５６１の他端部寄りの側面（周面）の下部に接続されている。また、タンク側開口部５６２の上端面の中央部には、上下方向へタンク側開口部５６２の上端面を貫通する貫通孔が形成されており、貫通孔から円筒状部５６２ａが下方へ延びている。円筒状部５６２ａの内周面によって囲まれる空間と、分岐板５６１ｂによって区画され分岐板５６１ｂよりも下側に位置する、筒状分岐部５６１の内部空間の部分と、は連通している。この連通している空間は、主流路部５１１を構成しており、図４において矢印Ａで示すように、洗浄水は流通する。
【００４８】
タンク側開口部５６２の下端部には、散水板５６５が固定されている。散水板５６５は、タンク側開口部５６２と同一の外径を有する、中空の略円盤形状を有しており、また、散水板５６５の内部空間を上下に仕切る隔壁５６５ａを有している。隔壁５６５ａには、隔壁５６５ａの中央部から放射状に延び、上下方向に貫通する多数の貫通孔５６５ｂが形成されている。隔壁５６５ａの中央部には貫通孔５６５ｂは形成されておらず、閉塞されている。従って、タンク側開口部５６２の上端面の中央部の円筒状部を流通する洗浄水は、この閉塞されている部分に衝突した後に、多数の貫通孔５６５ｂから下方へシャワー状に散水されるように構成されている。また、散水板５６５は、上端部に上方へ延出するフック部５６５ｃを有している。フック部５６５ｃがタンク側開口部５６２の側面に形成された穴５６２ｂに係合することにより、散水板５６５はタンク側開口部５６２に固定されている。
【００４９】
分岐側開口筒部５６３は、略円筒形状を有している。分岐側開口筒部５６３の下端部は、筒状分岐部５６１の他端部寄りの側面（周面）の上部に一体成形されて接続されている。分岐側開口筒部５６３の内部空間と、分岐板５６１ｂによって区画され分岐板５６１ｂよりも上側に位置する、筒状分岐部５６１の内部空間の部分と、は連通している。分岐側開口筒部５６３の上端部は、上方へ向けて開口している。分岐側開口筒部５６３の上部の外周面には、後述するクリップ５７６の先端部５７６ａを挿入可能なクリップ挿入溝５６３ａが、全周に渡って形成されている。クリップ挿入溝５６３ａよりも上方であって、分岐側開口筒部５６３の上端よりも下方の分岐側開口筒部５６３の部分には、分岐側開口筒部５６３の周囲を一周するように形成された溝に嵌められたＯリング５６８が設けられている。Ｏリング５６８は、分岐側開口筒部５６３の外周面と第１下流側分岐部５７の第１本体部５７１の内周面との間をシールする。
【００５０】
第１下流側分岐部５７は、略円筒形状を有する第１本体部５７１を有している。第１本体部５７１の下端部の開口部には、分岐側開口筒部５６３が挿入され、第１本体部５７１の内部空間は、分岐側開口筒部５６３の内部空間に連通している。第１本体部５７１の下端部には、先端部５７６ａが二股に分岐したクリップ５７６を水平方向から挿入可能なクリップ挿入部５７２が設けられている。クリップ挿入部５７２に挿入されたクリップ５７６は、二股に分岐したクリップ５７６の先端部５７６ａが、第１本体部５７１の下端部の開口部に挿入された分岐側開口筒部５６３の周面のクリップ挿入溝５６３ａに挿入される。これにより、第１下流側分岐部５７は、基部側分岐部５６の分岐側開口筒部５６３に接続される。クリップ５７６がクリップ挿入溝５６３ａに挿入された状態で、第１下流側分岐部５７が基部側分岐部５６に接続されているため、第１下流側分岐部５７は、基部側分岐部５６の分岐側開口筒部５６３の軸心と、第１下流側分岐部５７の第１本体部５７１の軸心と、が一致した位置関係で、基部側分岐部５６に対して回転可能である。クリップ５７６を取外すことにより、第１下流側分岐部５７は、分岐側開口筒部５６３から取外される。即ち、第１下流側分岐部５７は、基部側分岐部５６に着脱可能に接続される。
【００５１】
第１本体部５７１の下部であってクリップ挿入部５７２よりも上側の部分は、第１開口筒部５７３を有している。第１開口筒部５７３は、第１本体部５７１の側面（周面）から水平方向へ突出する略円筒状を有しており、突出端は水平方向へ向けて開口する第１開口部５７３ａを有する。第１開口筒部５７３の内部空間は、第１本体部５７１の内部空間に連通している。従って、第１開口部５７３ａは、主流路部５１１に連通する。即ち、この連通している空間は、補給水分岐流路部５１２を構成しており、図４において矢印Ｂで示すように、洗浄水は流通する。第１開口筒部５７３の一端部は、補給水分岐流路部５１２を構成して洗浄水が流通する管部材が接続される接続部５７３ｃを有しており、管部材を抜けにくくするための複数の溝が形成されている。接続部５７３ｃには、補給水分岐流路部５１２の端部が接続されている。第１本体部５７１の上部であって第１開口筒部５７３よりも上側の部分の側面は、後述するクリップ５８６の先端部５８６ａを挿入可能なクリップ挿入溝５７１ｃが形成されている。
【００５２】
図４に示すように、第１本体部５７１の下部と上部との間の中間部は、下部から上部に向かって２段階に内径が小さくなる中径部を有している。即ち、第１本体部５７１の下部の内径は大径であり、第１本体部５７１の中間部の内径は中径であり、第１本体部５７１の上部の内径は小径である。中径部には、流量調整部を構成する定流量弁５７５が設けられている。定流量弁５７５は水ガバナにより構成されており、水ガバナに設けられたＯリングが、第１本体部５７１の中径部を流通する洗浄水の圧力により変形して、洗浄水の通水面積が変化して、第１本体部５７１の中径部を流通する洗浄水の流量が所定の量に維持されるように構成されている。定流量弁５７５は、開口部連通流路５７４に対して着脱可能であり、必要に応じて、水ガバナは、第１下流側分岐部５７の第１本体部５７１から取外された状態とされる。
【００５３】
クリップ挿入溝５７１ａよりも上方であって、第１本体部５７１の上端よりも下方の第１本体部５７１の部分には、第１本体部５７１の周囲を一周するように形成された溝に嵌められたＯリング５７８が設けられている。Ｏリング５７８は、第１本体部５７１の外周面と第２下流側分岐部５８の第２本体部５８１の内周面との間をシールする。
【００５４】
第２下流側分岐部５８は、略円筒形状を有する第２本体部５８１と、第２開口筒部５８２と、を有している。第２本体部５８１の下端部の開口部には、第１下流側分岐部５７の第１本体部５７１の上部が挿入されている。第２本体部５８１の下端部には、先端部が二股に分岐したクリップ５８６を水平方向から挿入可能なクリップ挿入部５８３が設けられている。クリップ挿入部５８３に挿入されたクリップ５８６は、二股に分岐したクリップ５８６の先端部５８６ａが、第２本体部５８１の下端部の開口部に挿入された第１本体部５７１の上部の周面のクリップ挿入溝５７１ｃに挿入される。これにより、第２下流側分岐部５８は、第１本体部５７１の上部に接続される。クリップ５８６がクリップ挿入溝５７１ｃに挿入された状態で、第２下流側分岐部５８が第１下流側分岐部５７に接続されているため、第２下流側分岐部５８は、第１下流側分岐部５７の第１本体部５７１の軸心と、第２下流側分岐部５８の第２本体部５８１の軸心と、が一致した位置関係で、第１下流側分岐部５７に対して回転可能である。クリップ５８６を取外すことにより、第２下流側分岐部５８は、第１下流側分岐部５７から取外される。即ち、第２下流側分岐部５８は、第１下流側分岐部５７に着脱可能に接続される。
【００５５】
前述のように、第２本体部５８１の下端部の開口部には、第１下流側分岐部５７の第１本体部５７１の上部が挿入されているが、第１本体部５７１の上部と、基部側分岐部５６の分岐側開口筒部５６３とは、同一の外形で構成されている。また、クリップ５６７とクリップ５８６とは同一形状である。このため、第２本体部５８１の下端部の開口部に、基部側分岐部５６の分岐側開口筒部５６３を挿入して、第１下流側分岐部５７を介さずに、基部側分岐部５６の分岐側開口筒部５６３に、第２下流側分岐部５８の第２本体部５８１を接続することもできるように構成されている。
【００５６】
第２開口筒部５８２は、略水平に延びる円筒形状を有しており、その軸方向における一端において開口する第２開口部５８２ａを有しており、軸方向における他端部は閉塞されている。第２開口筒部５８２の一端部は、手洗い側流路部５１３を構成し洗浄水が流通する管部材が接続される接続部５８２ｃを有しており、管部材を抜けにくくするための複数の溝が形成されている。接続部５８２ｃには、手洗い側流路部５１３の端部が接続されている。接続部５８２ｃの基部には、フランジ５８２ｄが設けられている。第２本体部５８１は、上端面において、第２開口筒部５８２の他端部寄りの部分の下部に接続されている。
【００５７】
第２本体部５８１の上端面に接続されている第２開口筒部５８２の他端部寄りの部分の内部空間は、第２本体部５８１の内部空間に向けて開口する開口部を有している。この開口部は、第１本体部５７１の上端部の開口部に接続されている。これにより、第２開口部５８２ａと、第１開口部５７３ａとは、第１本体部５７１の内部空間及び第２開口筒部５８２の内部空間を介して連通している。第１本体部５７１の内部空間及び第２開口筒部５８２の内部空間は、開口部連通流路５７４を構成する。従って、開口部連通流路５７４は、定流量弁５７５を有している。また、第２開口部５８２ａは、開口部連通流路５７４及び基部側分岐部５６の分岐側開口筒部５６３の内部空間を介して主流路部５１１に流通している。即ち、この連通している空間は、手洗い側流路部５１３を構成しており、図４において矢印Ｃで示すように、洗浄水は流通する。従って、第１開口筒部５７３は、洗浄水の流れにおいて、第２開口部５８２ａの上流側に位置している。
【００５８】
タンク蓋部４２は、図２に示すように、タンク本体４１の上面に配置され、タンク本体４１の上面を覆う。タンク蓋部４２は、第１蓋部４３と、第２蓋部４４と、を有する。第１蓋部４３及び第２蓋部４４は、タンク蓋部４２が複数に分割されて形成される。第１蓋部４３及び第２蓋部４４は、板状に形成され、タンク本体４１の上面を覆う。但し、流路分岐部材５５の第１下流側分岐部５７及び第２下流側分岐部５８は、タンク蓋部４２よりも上方に配置されている。
【００５９】
第１蓋部４３及び第２蓋部４４は、第１蓋部４３及び第２蓋部４４が便器洗浄装置１の左右方向に並べられて配置される。第１蓋部４３及び第２蓋部４４を合わせた大きさは、下部カバー部２２から上部カバー部２１を取り外した場合において、図３に示すように、平面視で、下部カバー部２２の上端部に形成される上部開口２２ａと略同じ大きさ又は僅かに大きく形成される。
【００６０】
第１蓋部４３は、便器洗浄装置１の左右方向の一方側（図３における左側）において、タンク本体４１の上面に配置される。第１蓋部４３には、洗浄駆動ユニット７のモータ７ａが取り付けられている。また、操作レバー（図示せず）とモータ回転軸部材７ｂとを接続する操作紐（図示せず）が設けられている。
【００６１】
第２蓋部４４は、便器洗浄装置１の左右方向の一方側（図３における右側）において、タンク本体４１の上面に配置される。第２蓋部４４は、複数に分割された蓋部のうちの第１蓋部４３とは異なる蓋部である。
【００６２】
以上のように構成される本実施形態の便器洗浄装置１は、手洗い吐水部１８ｂを有する洗浄タンク４を有しているが、手洗い吐水部を有していない洗浄タンクを備える便器洗浄装置においても、流路分岐部材５５を使用することは可能である。以下、手洗い吐水部を有していない洗浄タンクを備える便器洗浄装置において、流路分岐部材５５を使用する場合について、図６〜図７を参照して説明する。
【００６３】
先ず、流路分岐部材５５において、第１下流側分岐部５７のクリップ挿入部５７２に挿入されているクリップ５７６を取外して、基部側分岐部５６から第１下流側分岐部５７を取外す。また、第２下流側分岐部５８のクリップ挿入部５８３に挿入されているクリップ５８６を取外して、第１下流側分岐部５７から第２下流側分岐部５８を取外す。次に、基部側分岐部５６の分岐側開口筒部５６３（図５等参照）の上部を、第２下流側分岐部５８の第２本体部５８１の下端部の開口部に挿入する。次に、第２下流側分岐部５８のクリップ挿入部５８３にクリップ５８６を挿入して基部側分岐部５６に第２下流側分岐部５８を接続する。
【００６４】
これにより、第２開口筒部５８２の内部空間と、分岐側開口筒部５６３の内部空間と、が接続されて連通し、この結果、第２開口部５８２ａは、主流路部５１１に連通する。そして、第２下流側分岐部５８の第２開口筒部５８２に、手洗い側流路部５１３ではなく、補給水分岐流路部５１２を構成する管部材の端部を接続する。従って、手洗い吐水部を有していない洗浄タンクを備える便器洗浄装置においては、第１下流側分岐部５７は不要であり、使用されない。この場合には、手洗い側流路部５１３を介して洗浄タンクに流入する洗浄水はない。この分の量の洗浄水を、タンク側開口部から流出させるめに、本実施形態のように手洗い吐水部１８ｂを有する構成におけるタンク側開口部５６２と比較して、タンク側開口部は、大きく構成される。
【００６５】
以上説明した本実施形態の便器洗浄装置１によれば、以下のような効果を奏する。
本実施形態の便器洗浄装置１は、手洗い吐水部１８ｂを有する洗浄タンク４と、洗浄水を洗浄タンク４に給水する主流路部５１１と、主流路部５１１から分岐し、洗浄水を補給水として吐出する補給水分岐流路部５１２と、主流路部５１１から分岐し、洗浄水を手洗い吐水部１８ｂへ供給する手洗い側流路部５１３と、主流路部５１１から補給水分岐流路部５１２と手洗い側流路部５１３とを分岐させる流路分岐部材５５と、を備える。
流路分岐部材５５は、主流路部５１１を有する基部側分岐部５６と、主流路部５１１に連通する第１開口部５７３ａを有し、且つ、基部側分岐部５６に着脱可能に接続される第１下流側分岐部５７と、主流路部５１１に連通する第２開口部５８２ａを有し、且つ、第１下流側分岐部５７に着脱可能に接続される第２下流側分岐部５８と、を備える。
第２下流側分岐部５８は、第１下流側分岐部５７を介さずに基部側分岐部５６に着脱可能に接続可能である。
【００６６】
そのため、便器洗浄装置１の洗浄タンク４が手洗い吐水部１８ｂを有している場合には、第１下流側分岐部５７を介して第２下流側分岐部５８が基部側分岐部５６に接続されて使用される。また、便器洗浄装置の洗浄タンクが手洗い吐水部を有していない場合には、第１下流側分岐部５７を介さずに、第２下流側分岐部５８が基部側分岐部５６に直接接続された状態で流路分岐部材５５を使用することができる。また、主流路部５１１、補給水分岐流路部５１２が配置されている位置を変えずに、便器洗浄装置１の洗浄タンク４が手洗い吐水部１８ｂを有している場合と、手洗い吐水部を有していない場合とに、それぞれ対応することができる。従って、他の様々な商品へ対応可能に高い汎用性を有する便器洗浄装置１とすることができる。
【００６７】
また、本実施形態においては、第１開口部５７３ａと第２開口部５８２ａとは、開口部連通流路５７４を介して連通する。開口部連通流路５７４は、開口部連通流路５７４を流れる洗浄水の流量を調整するための流量調整部を構成する定流量弁５７５を有する。そのため、第１開口部５７３ａ、第２開口部５８２ａへ流通する洗浄水を、適切な流量に、それぞれ容易に調整することができる。この結果、商品によっては、例えば、比較的多くの量の補給水を使用するものがあるが、このような商品にも容易に対応することができる。また、例えば、便器洗浄装置１を使用する使用者から、手洗い吐水部１８ｂから吐出される洗浄水の量を多くして欲しい旨の要求があった場合にも、定流量弁５７５を取り外したり、流量の多い定流量弁に定流量弁５７５を交換することにより、容易に対応することができる。また、第１開口部５７３ａへ流通する洗浄水の流量を多くした場合であっても、第２開口部５８２ａへ流通する洗浄水の流量に影響を与えずに、一定量の洗浄水が第２開口部５８２ａへ流通する構成とすることができる。
【００６８】
また、本実施形態においては、流量調整部を構成する定流量弁５７５は、開口部連通流路５７４に対して着脱可能である。そのため、開口部連通流路５７４における洗浄水の流量を、所定の一定量とする必要がない場合や、制限する必要がない場合には、定流量弁５７５を取り外すことができる。従って、開口部連通流路５７４における洗浄水の流量を、任意の量に調整して設定することができる。
【００６９】
また、本実施形態においては、基部側分岐部５６と、第１下流側分岐部５７と、第２下流側分岐部５８とは、上下方向に沿って並んで配置されている。そのため、水平方向における流路分岐部材５５の寸法Ｌ（図４参照）を、小さく抑えることができ、例えば、特許文献１に記載されている従来の便器洗浄装置の分岐部の水平方向における寸法と比較して、略半分の寸法とすることができる。
【００７０】
また、本実施形態においては、第１開口部５７３ａは、補給水分岐流路部５１２を構成可能であり、第２開口部５８２ａは、手洗い側流路部５１３を構成可能であり、第１開口部５７３ａは、洗浄水の流れにおいて、第２開口部５８２ａの上流側に位置している。そのため、例えば、補給水分岐流路部５１２を介して第１開口部５７３ａへ流通する補給水の量を、一時的に、通常の２〜３倍の量とした場合であっても、第２開口部５８２ａへ流通する洗浄水の量を一定に保つ構成とすることができる。
【００７１】
また、本実施形態においては、流路分岐部材５５は、洗浄タンク４を覆うタンク蓋部４２の上方に配置されている部分である第１下流側分岐部５７、第２下流側分岐部５８を有する。そのため、流路分岐部材５５において、第１下流側分岐部５７、第２下流側分岐部５８の着脱の作業を容易とすることができる。
【００７２】
以上、本発明の便器洗浄装置１の好ましい実施形態について説明したが、本発明は、上述した実施形態に制限されるものではなく、適宜変更が可能である。
例えば、本実施形態では、流量調整部は、定流量弁５７５としての水ガバナを有していたが、この構成に限定されない。例えば、流量調整部は、オリフィスや、穴が形成された筒状の部材により構成されてもよい。
【００７３】
また、本実施形態では、基部側分岐部５６、第１下流側分岐部５７、第２下流側分岐部５８は、この順で、鉛直方向に沿って鉛直方向上方へ向って並んで配置されていたが、この構成に限定されない。例えば、基部側分岐部５６、第１下流側分岐部５７、第２下流側分岐部５８は、この順で、上下方向に沿って並んで配置されてもよく、また、洗浄タンク４の内部において、水平方向に沿って並んで配置されてもよい。
【符号の説明】
【００７４】
１  便器洗浄装置
４  洗浄タンク（便器洗浄タンク）
１８ｂ  手洗い吐水部
４２  タンク蓋部
５５  流路分岐部材
５６  基部側分岐部
５７  第１下流側分岐部
５８  第２下流側分岐部
５１１  主流路部
５１２  補給水分岐流路部
５１３  手洗い側流路部
５７３ａ  第１開口部
５７４  開口部連通流路
５７５  定流量弁（流量調整部）
５８２ａ  第２開口部
【図１】
0006552957.tif 000002
【図２】
0006552957.tif 000003
【図３】
0006552957.tif 000004
【図４】
0006552957.tif 000005
【図５】
0006552957.tif 000006
【図６】
0006552957.tif 000007
【図７】
0006552957.tif 000008